(57)【要約】【課題】耐久性のある繊維ロープを樹木にくくり付けることにより、長期にわたって樹皮剥ぎ防止効果を維持し、しかも、樹木の生長に合わせて拡径することで、木材としての価値の低下を生じさせることがない動物による樹木の樹皮剥ぎ防止方法を提供する。【解決手段】樹木１の幹２の外周長よりも長いロープ３を用い、樹木１の幹２の外周に巻き付けた前記ロープ３の一方端部と途中を、この巻き付け部分の拡径を許容する自在結び６で結合し、前記ロープ３の他端側余剰部分を樹木１の幹２の山側外面に垂らした垂下部５とする。【選択図】図１
2010022311.tif 000002
【特許請求の範囲】
【請求項１】
樹木の幹の外周長よりも長いロープを用い、樹木の幹の外周に巻き付けた前記ロープの一方端部と途中を、この巻き付け部分の拡径を許容する自在結びで結合し、前記ロープの他端側余剰部分を幹の外面に垂らすようにする動物による樹木の樹皮剥ぎ防止方法。
【請求項２】
上記ロープの自在結びを樹木の幹に対して山側に位置させ、このロープの他端側余剰部分を樹木の幹の山側に垂らすようにする請求項１に記載の動物による樹木の樹皮剥ぎ防止方法。
【請求項３】
上記ロープは、樹木の幹の地面から所定高さの範囲に、上下に間隔を設けて複数巻着する請求項１又は２に記載の動物による樹木の樹皮剥ぎ防止方法。
【発明の詳細な説明】
【技術分野】
【０００１】
この発明は、杉やヒノキ等の樹木において、熊や鹿等の動物による樹皮剥ぎの被害を未然に防止するための動物による樹木の樹皮剥ぎ防止方法に関する。
【背景技術】
【０００２】
熊や鹿等の動物が生息する森林において、これら動物が、杉やヒノキ等の樹木の樹皮を剥がす事態が発生しており、樹皮が剥がされると樹木の成長に弊害が生じると共に、ひどい場合には樹木を枯死させることも有り、熊や鹿等の動物が樹皮を剥ぐ理由は特に解明されていないが、近年森林における樹皮剥ぎによる被害は多くなっている。
【０００３】
従来、樹木にわら繩を巻き付けたり、梱包用のビニールテープを巻き付けておくと、樹皮剥がしの被害が比較的少なくなることが体験的に知られている。
【発明の開示】
【発明が解決しようとする課題】
【０００４】
しかしながら、わら繩の巻き付け方法は、わら繩が短期間で劣化し、長期にわたる防止効果を維持することができないという問題がある。
【０００５】
また、ビニールテープの巻き付け方法は、樹木の成長に伴ってビニールテープが切断されないと、樹皮にビニールテープが食い込み、木材としての価値が低下する。
【０００６】
しかも、ビニールテープは、３〜５年程度で風化して脱落し、地表に残ったビニールテープはチエンソーや草刈機の刃に巻き付き、機械を傷めるだけでなく、森林の環境を汚染するという問題がある。
【０００７】
そこで、この発明の課題は、上記した問題点を解決するため、耐久性のある滑らかでくくり易い繊維ロープを用い、これを樹木にくくり付けることにより、長期にわたって樹皮剥ぎ防止効果を維持し、しかも、樹木の生長に合わせて拡径することで、木材としての価値の低下を生じさせることがない動物による樹木の樹皮剥ぎ防止方法を提供することにある。
【課題を解決するための手段】
【０００８】
上記の課題を解決するため、この発明は、樹木の幹の外周長よりも長いロープを用い、樹木の幹の外周に巻き付けた前記ロープの一方端部と途中を、この巻き付け部分の拡径を許容する自在結びで結合し、前記ロープの他端側余剰部分を幹の外面に垂らすようにする構成を採用したものである。
【０００９】
上記ロープの自在結びを樹木の幹に対して山側に位置させ、このロープの他端側余剰部分を樹木の幹の山側に垂らすようにしたり、上記ロープは、樹木の幹の地面から所定高さの範囲に、上下に間隔を設けて複数巻着するようにしてもよい。
【００１０】
ここで、ロープは、耐久性のある滑らかでくくり易いポリエチレンやポリエステル等の繊維ロープを用い、例えば、ロープ径が３〜１２ｍｍで内側から引き出しやすいトワイン巻きにした荷姿になっており、現地への搬入に適した２〜３ｋｇ程度の重量になる長さに設定されている。
【００１１】
また、樹木に巻き付けたロープの一方端部と途中を結合する自在結びは、ロープの一方端部をロープの途中に引掛けることで折り返し、この折り返し部をロープの一方端部側の途中に引掛けて下から上に折り返す事で、ロープの途中が貫通する輪をつくり、この輪の中に折り返し部を差し込んで輪を絞ることにより形成され、樹木に巻着した状態でロープの途中は輪に対して長さ方向に移動可能となり、巻着部分は拡径できることになる。
【発明の効果】
【００１２】
この発明によると、樹木の外周長よりも長いロープを樹木の外周に巻き付け、前記ロープの他端側余剰部分を樹木の外面に垂らすようにしたので、樹木に巻き付いたロープとその垂れ下がり部分の存在により、熊や鹿はこの樹木に近づくのを嫌い、従って、熊や鹿による樹木の樹皮剥ぎ発生を有効に防止することができる。
【００１３】
また、ロープはその材質を選ぶことによって耐久性に優れたものとなり、そのままで長期にわたって樹皮剥ぎ発生の防止機能を維持することができ、しかも、ロープの一方端部と途中を自在結びで結合してあるので、樹木に巻き付けたロープの拡径が自在となり、樹木の成長により径が太くなっても樹木に傷を付けることがなく、木材としての価値を低下させることがない。
【００１４】
更に、ロープは耐久性に優れ、樹木から脱落することがないので、森林の環境を汚染することがない。
【発明を実施するための最良の形態】
【００１５】
以下、この発明の実施の形態を図示例に基づいて説明する。
【００１６】
図１のように、この発明の動物による樹木の樹皮剥ぎ防止方法は、樹木１の幹２の外周長よりも長いロープ３を用い、樹木２に対して山側に立ち、このロープ３を樹木１の幹２に対して谷側から巻き、樹木１に対して山側でロープ３の一方端部と途中を結び、ロープ３を、輪状の巻着部４と、他端側余剰部分を樹木１の山側外面に垂らした垂下部５とすることによって実施される。
【００１７】
上記ロープ３は、耐久性のある滑らかでくくり易いポリエチレンやポリエステルからなる、３本縒り、８本縒り、もしくはブレード打ち等の繊維ロープを用い、例えば、ロープ径が３〜１２ｍｍで内側から引き出しやすいトワイン巻きにした荷姿になっており、現地への搬入や取り扱いに適した２〜３ｋｇ程度の重量になる長さに設定されている。
【００１８】
上記ロープ３の一方端部と途中を結ぶために、樹木１の幹２への輪状の巻着部４には、拡径を許容する自在結び６が採用されている。
【００１９】
この自在結び６は、図２に示すように、樹木１の幹２に巻き付けたロープ３の一方端部３ａをロープ３の途中３ｂに引掛けることで折り返し、この折り返し部分を一方端部３ａの途中に引掛けて下から上に折り返すことで、ロープ３の途中３ｂが貫通する輪６ａをつくり、この輪６ａの中に折り返し部分を差し込んで輪６ａを絞ることにより形成され、ロープ３の樹木１の幹２へ輪状に巻着した巻着部４が保持され、図２の矢印のように、輪状の巻着部４におけるロープの途中３ｂは輪６ａに対して長さ方向に移動可能となり、従って、樹木１の生長により幹２が太くなると、これに追従してロープ３の巻着部４は拡径できることになる。
【００２０】
上記樹木１の幹２に対するロープ３の巻き付けは、地面から所定高さＨの範囲に、上下に間隔ｈを設けて複数巻着するようにするものであり、例えば、地面から１．２ｍ〜１．５ｍの高さの範囲に、３０ｃｍ〜４０ｃｍの間隔で上下複数箇所に巻き付ける。
【００２１】
この場合、各巻き付けロープ３の樹木の山側外面に垂らす垂下部５の長さは、下位巻き付けロープ３の巻着部４に達しない程度の長さに設定すればよい。
【００２２】
この発明の熊や鹿による樹木の樹皮剥ぎ防止方法は、上記のような構成であり、熊や鹿が生息する森林において、これら熊や鹿による樹木の樹皮剥ぎ被害を防止するため、杉やヒノキ等の樹木１の幹２に対して、地面から所定高さの範囲で上下複数箇所の位置に、ロープ３を巻着して取付ける。
【００２３】
このようなロープ３の巻着は、間伐作業と同時期に作業が可能であり、ロープ３の耐用年数は例えば１０年程度あり、しかも、作業が簡単でコスト的にも低価である。
ロープ３は、図１のように、樹木に対して山側に立ち、このロープ３を樹木１の幹２に対して谷側から巻き、樹木１に対して山側でロープ３の一方端部と途中を自在結び６によって結び、ロープ３の他端側余剰部分を樹木１の山側外面に垂らして垂下部５とする。
【００２４】
上記のように、樹木１の幹２に対して上下複数箇所にロープ３が巻き付き、各巻着部４から、熊や鹿の習性による樹木１の樹皮剥ぎ被害の発生が多い山側外面に垂下部５が垂れていると、山側から降りてきて樹皮剥ぎを行なおうとする熊や鹿は、これを見て樹木１に近づくのを嫌い、また、前記垂下部５は風を受けた場合に揺れ動くこともあるので、離れた位置からでも熊や鹿の目につきやすくなり、樹皮剥ぎ被害の発生を効果的に防ぐことができる。
【００２５】
また、樹木１の幹２に対して輪状に巻着したロープ３は、拡径が自由になっているので、樹木１の生長により幹２が太くなってもこれに追従し、幹２に傷を生じさせないので木材としての価値を低下させることがない。
【図面の簡単な説明】
【００２６】
【図１】この発明の動物による樹木の樹皮剥ぎ防止方法を実施した状態の樹木の側面図
【図２】樹木に巻着するロープの自在結びを示す斜視図
【符号の説明】
【００２７】
１        樹木
２        幹
３        ロープ
４        巻着部
５        垂下部
６        自在結び
【図１】
2010022311.tif 000003
【図２】
2010022311.tif 000004